(57)【要約】【課題】待ち受け画像を好みのイメージに近く、親しみ易いものにしたり、呼び出し音を認識しやすいものにしたりすることができるインターホンシステムを提供する。【解決手段】インターホン親機１１と、インターホン親機１１と接続されるインターホン制御装置１５と、携帯電話１９と無線通信可能なアクセスポイント１３と、アクセスポイント１３と接続されるサーバー装置１８とを設け、サーバー装置１８は、携帯電話１９から、そのＩＤ情報とともに設定データを受信すると、受信したＩＤ情報を少なくともインターホン制御装置１５に通知し、インターホン制御装置１５は、受信したＩＤ情報に基づいて、住戸を判別し、その住戸のインターホン親機１１に通知し、この通知を受けたインターホン親機１１は、所定の設定操作することで、設定データを取り込んで、待ち受け画像と呼び出し音との少なくともいずれか一方の設定変更を行う。【選択図】図１
2010258749.tif 000002
【特許請求の範囲】
【請求項１】
待ち受け画像と呼び出し音との少なくともいずれかの一方の設定が可能なインターホン親機と、少なくとも１つの携帯電話と無線通信可能なアクセスポイントとを、住戸に対応して設けたインターホンシステムであって、
前記アクセスポイントは、前記携帯電話から前記設定データを受信し、
前記インターホン親機は、前記アクセスポイントを通じて受けた前記設定データを受信して、待ち受け画像と呼び出し音との少なくともいずれか一方の設定変更を行うことを特徴とするインターホンシステム。
【請求項２】
集合住宅の住戸に設けられ、待ち受け画像と呼び出し音との少なくともいずれかの一方の設定が可能なインターホン親機と、該住戸のそれぞれの前記インターホン親機と接続されるインターホン制御装置と、少なくとも１つの携帯電話とを無線通信可能なアクセスポイントと、前記アクセスポイントと接続されるサーバー装置とを設けたインターホンシステムであって、
前記サーバー装置は、前記携帯電話から、そのＩＤ情報とともに前記設定データを受信すると、受信したＩＤ情報を少なくとも前記インターホン制御装置に通知し、
前記インターホン制御装置は、受信したＩＤ情報に基づいて、対応した住戸を判別し、その住戸のインターホン親機に通知し、
この通知を受けたインターホン親機は、所定の設定操作することで、前記アクセスポイントを通じて前記携帯電話から送信されて来た設定データを取り込んで、待ち受け画像と呼び出し音との少なくともいずれか一方の設定変更を行うことを特徴とするインターホンシステム。
【請求項３】
集合住宅の住戸に設けられ、待ち受け画像と呼び出し音との少なくともいずれかの一方の設定が可能なインターホン親機と、該住戸のそれぞれの前記インターホン親機と接続されるインターホン制御装置と、少なくとも１つの携帯電話とを無線通信可能なアクセスポイントと、前記アクセスポイントと接続されるサーバー装置とを設けたインターホンシステムであって、
前記サーバー装置は、前記携帯電話から、そのＩＤ情報とともに前記設定データを受信すると、受信したＩＤ情報に対応した住戸を特定して、前記インターホン制御装置に通知し、
前記インターホン制御装置は、この通知を受けて、対応した住戸のインターホン親機に通知し、
この通知を受けたインターホン親機は、所定の設定操作することで、前記アクセスポイントを通じて前記携帯電話から送信されて来た設定データを取り込んで、待ち受け画像と呼び出し音との少なくともいずれか一方の設定変更を行うことを特徴とするインターホンシステム。
【請求項４】
請求項１〜３のいずれか１項において、
前記携帯電話は、メモリ媒体を着脱自在に構成されるとともに、このメモリ媒体から読み込んだ前記設定データを、前記アクセスポイントに送出可能に構成されていることを特徴とするインターホンシステム。
【請求項５】
請求項１〜４のいずれか１項において、
前記インターホン親機は、メモリ媒体を着脱自在に構成されるとともに、このメモリ媒体に記憶した前記設定データを読み出し操作して、前記待ち受け画像、呼び出し音との少なくともいずれか一方の設定変更を行うことを特徴とするインターホンシステム。
【発明の詳細な説明】
【技術分野】
【０００１】
本発明は、インターホンシステムの改良に関する。
【背景技術】
【０００２】
マンション等の集合住宅用のインターホンシステムとして、待ち受け画像や呼び出し音を選択可能なものが開発されている。例えば、特許文献１には、ドアホン子機、インターホン親機、集合玄関機を備え、蓄積された複数のデータの中から呼び出し音を選択することが可能な集合住宅用インターホンシステムが開示されている。
【先行技術文献】
【特許文献】
【０００３】
【特許文献１】特開2004-304549号公報
【発明の概要】
【発明が解決しようとする課題】
【０００４】
しかしながら、上記特許文献１のような構成では、選択の範囲が限られており、待ち受け画像をより好みのイメージに近く、親しみ易いものにすることができなかった。また、呼び出し音もより認識しやすいものにすることができなかった。本発明は、携帯電話と同じ待ち受け画像にするなど、好みのイメージに近く、親しみ易いインターホンシステムを構築することができ、また、携帯電話と同じ呼び出し音にするなど、呼び出し音が認識しやすいインターホンシステムを構築することができる新規な構成のインターホンシステムを提供することを課題とする。
【課題を解決するための手段】
【０００５】
第１の本発明によるインターホンシステムは、待ち受け画像と呼び出し音との少なくともいずれかの一方の設定が可能なインターホン親機と、少なくとも１つの携帯電話と無線通信可能なアクセスポイントとを、住戸に対応して設けたインターホンシステムであって、前記アクセスポイントは、前記携帯電話から前記設定データを受信し、前記インターホン親機は、前記アクセスポイントを通じて受けた前記設定データを受信して、待ち受け画像と呼び出し音との少なくともいずれか一方の設定変更を行うことを特徴とする。
【０００６】
また、第２の本発明によるインターホンシステムは、集合住宅の住戸に設けられ、待ち受け画像と呼び出し音との少なくともいずれかの一方の設定が可能なインターホン親機と、該住戸のそれぞれの前記インターホン親機と接続されるインターホン制御装置と、少なくとも１つの携帯電話とを無線通信可能なアクセスポイントと、前記アクセスポイントと接続されるサーバー装置とを設けたインターホンシステムであって、前記サーバー装置は、前記携帯電話から、そのＩＤ情報とともに前記設定データを受信すると、受信したＩＤ情報を少なくとも前記インターホン制御装置に通知し、前記インターホン制御装置は、受信したＩＤ情報に基づいて、対応した住戸を判別し、その住戸のインターホン親機に通知し、この通知を受けたインターホン親機は、所定の設定操作することで、前記アクセスポイントを通じて前記携帯電話から送信されて来た設定データを取り込んで、待ち受け画像と呼び出し音との少なくともいずれか一方の設定変更を行うことを特徴とする。
【０００７】
また、第３の本発明によるインターホンシステムは、集合住宅の住戸に設けられ、待ち受け画像と呼び出し音との少なくともいずれかの一方の設定が可能なインターホン親機と、該住戸のそれぞれの前記インターホン親機と接続されるインターホン制御装置と、少なくとも１つの携帯電話とを無線通信可能なアクセスポイントと、前記アクセスポイントと接続されるサーバー装置とを設けたインターホンシステムであって、前記サーバー装置は、前記携帯電話から、そのＩＤ情報とともに前記設定データを受信すると、受信したＩＤ情報に対応した住戸を特定して、前記インターホン制御装置に通知し、前記インターホン制御装置は、この通知を受けて、対応した住戸のインターホン親機に通知し、この通知を受けたインターホン親機は、所定の設定操作することで、前記アクセスポイントを通じて前記携帯電話から送信されて来た設定データを取り込んで、待ち受け画像と呼び出し音との少なくともいずれか一方の設定変更を行うことを特徴とする。
【０００８】
また、第４の本発明によるインターホンシステムは、請求項１〜３のいずれか１項において、前記携帯電話は、メモリ媒体を着脱自在に構成されるとともに、このメモリ媒体から読み込んだ前記設定データを、前記アクセスポイントに送出可能に構成されていることを特徴とする。
【０００９】
また、第５の本発明によるインターホンシステムは、請求項１〜４のいずれか１項において、前記インターホン親機は、メモリ媒体を着脱自在に構成されるとともに、このメモリ媒体に記憶した前記設定データを読み出し操作して、前記待ち受け画像、呼び出し音との少なくともいずれか一方の設定変更を行うことを特徴とする。
【発明の効果】
【００１０】
第１の本発明によれば、一戸建てなどの場合において、携帯電話に保存した待ち受け画像や呼び出し音の設定データを携帯電話からアクセスポイントに送出することにより、各インターホン親機の待ち受け画像や呼び出し音の設定を行うことができるので、携帯電話と同じ待ち受け画像にするなど、好みのイメージに近く、親しみ易いインターホンシステムを構築することができる。また、携帯電話と同じ呼び出し音にするなど、呼び出し音が認識しやすいインターホンシステムを構築することができる。
【００１１】
また、第２の本発明によれば、複数の住戸を有する集合住宅において、インターホン制御装置が、受信したＩＤ情報に基づいて、対応した住戸を判別し、その住戸のインターホン親機に通知し、この通知を受けたインターホン親機が、所定の設定操作することで、アクセスポイントを通じて携帯電話から送信されて来た設定データを取り込んで、待ち受け画像と呼び出し音との少なくともいずれか一方の設定変更を行うことができるので、携帯電話と同じ待ち受け画像にするなど、好みのイメージに近く、親しみ易いインターホンシステムを構築することができる。また、携帯電話と同じ呼び出し音にするなど、呼び出し音が認識しやすいインターホンシステムを構築することができる。
【００１２】
第３の本発明によれば、サーバー装置が、受信したＩＤ情報に対応した住戸を特定して、インターホン制御装置に通知し、インターホン制御装置が、この通知を受けて、対応した住戸のインターホン親機に通知し、この通知を受けたインターホン親機が、所定の設定操作することで、待ち受け画像と呼び出し音との少なくともいずれか一方の設定変更を行うことができるので、携帯電話と同じ待ち受け画像にするなど、好みのイメージに近く、親しみ易いインターホンシステムを構築することができる。また、携帯電話と同じ呼び出し音にするなど、呼び出し音が認識しやすいインターホンシステムを構築することができる。
【００１３】
第４の本発明によれば、携帯電話が、メモリ媒体を着脱自在に構成されるとともに、このメモリ媒体から読み込んだ設定データを、アクセスポイントに送出して待ち受け画像や呼び出し音の設定変更を行うので、選択できる設定データの範囲が広くなる。
【００１４】
第５の本発明によれば、インターホン親機が、メモリ媒体を着脱自在に構成されるとともに、このメモリ媒体に記憶した設定データを読み出し操作して、待ち受け画像、呼び出し音との少なくともいずれか一方の設定変更を行うので、選択できる設定データの範囲が広くなる。
【図面の簡単な説明】
【００１５】
【図１】は、実施例の基本的なブロック図である。
【図２】は、実施例のより具体的なブロック図である。
【図３】は、待ち受け画像や呼び出し音の設定変更を行う場合の実施例における信号伝送を示したフロー図である。
【図４】は、サーバー装置が、受信したＩＤ情報に対応した住戸を特定するように構成されたインターホンシステムの変形例において、待ち受け画像や呼び出し音の設定変更を行う場合の信号伝送を示したフロー図である。
【図５】は、住戸ごとに携帯電話とアクセスポイントとが紐付けられており、サーバー装置が、アクセスポイントのアドレス情報から住戸を特定するように構成されたインターホンシステムの別の変形例において、待ち受け画像や呼び出し音の設定変更を行う場合の信号伝送を示したフロー図である。
【発明を実施するための形態】
【００１６】
図１に示すように、本発明によるインターホンシステムは、集合住宅の住戸に設けられ、待ち受け画像と呼び出し音の設定が可能なインターホン親機１１と、住戸のそれぞれのインターホン親機１１と接続されるインターホン制御装置１５と、携帯電話１９とを無線通信可能なアクセスポイント１３（AP）と、アクセスポイント１３と接続されるサーバー装置１８とを備えている。
【００１７】
ここで、待ち受け画像や呼び出し音の設定データは、携帯電話１９の使用者が友人やインターネットとの通信を介してとやりとりしたものを、設定変更にかかるコマンドとともに、アクセスポイント１３に送出可能に構成されている。
【００１８】
そして、携帯電話１９から送信され、アクセスポイント１３を通じて受信した待ち受け画像と呼び出し音の設定データは、インターホンシステムをコントロールするインターホン制御装置１５に送信され、そこから更に、対応したインターホン親機１１に送信されて、待ち受け画像と呼び出し音の設定変更がなされる。
【００１９】
なお、アクセスポイント１３を通じて受信した設定データは、サーバー装置１８で一時的に保存され、インターホン親機１１に受信通知がなされる。そして、住戸人がこれを確認して、インターホン親機１１の設定操作をすれば、設定データがサーバー装置１８からインターホン装置にダウンロードされて待ちうけ画面、呼び出し音が変更されるようになっている。
【００２０】
ここで本発明によるインターホンシステムの構成を詳しく説明する。本発明によるインターホンシステムは、住棟ロビーに配置したカメラ１２で撮影した映像を、モニタテレビ１０５(図２)を有したインターホン親機１１に伝送して再生させる機能を有した集合住宅用インターホンシステムと、アクセスポイント１３（AP）との間でローミングを可能とした携帯電話１９システムとを組み合わせた構成になっている。
【００２１】
インターホンシステムの部分は、カメラ１１ａを有した子器１１ｂを接続したインターホン親機１１と、住棟の共用部である住棟ロビーに設置されたロビー機１４およびカメラ１２と、インターホン親機１１とロビー機１４との通話等を制御するとともに、カメラ１２からの映像信号に対して圧縮処理等を施すなど、映像制御を行うインターホン制御装置１５とで構成されている。
【００２２】
一方、携帯電話１９システムの部分は、携帯電話１９と無線通信するアクセスポイント１３と、アクセスポイント１３を制御するサーバー装置１８とで構成されている。
【００２３】
また、サーバー装置１８は、インターネット等のネットワーク２０に接続されており、このネットワーク２０を通じて、他場所にあるサーバー装置１８、システムと連動したりすることで、必要に応じて種々の用途の通信ができるようにも構成されている。
【００２４】
例えば、インターネットのウェブサーバー機能を利用して、ネットワークからサーバー装置１８のデータベースに保持される携帯電話１９のアドレス情報のテーブルを変更することが可能である。また、インターネットのメール機能を利用して、ネットワークからサーバー装置１８のデータベースに保持される携帯電話１９のアドレス情報のテーブルを変更することも可能である。  そして、本発明の特徴的な構成として、インターホン制御装置１５と、サーバー装置１８とが信号線によって連結されている。
【００２５】
なお、携帯電話システムは、IEEE 802.11（IEEE 802.11a/IEEE
802.11b）規定に従って無線ＬＡＮ機器間が相互接続するシステムを利用したものでもよい。そのような携帯電話システムとしては、例えば、skype（登録商標）用のWiFi電話機がある。また、現在広く普及している一般の携帯電話システムを利用してもよい。
【００２６】
ここで、図２を参照して本発明のより具体的な構成を説明する。図２は、実施例のより具体的なブロック図である。
【００２７】
図２に示すように、インターホン親機１１は、インターホン制御装置１５との間で制御信号を送受信する制御信号送受信部１０１と、エンコードされた映像／通話信号を受信すると共に、通話信号を送信する映像／通話信号送受信部１０２と、ＣＰＵで構成された制御部１０３と、呼出音を鳴動させると共に、ハンズフリーで通話を行わせる通話部１０４と、液晶パネル等からなるモニタテレビ１０５を有した表示部１０６と、複数の操作キーを有した操作部１０７とを備えている。
【００２８】
ここで、インターホン親機１１は、ＳＤカードなどのメモリ媒体２１をインターホン親機１１のカードリーダに着脱自在に構成されている。そして、インターホン親機１１は、このメモリ媒体２１に記憶された所望の設定データに基づいて、待ち受け画像と呼び出し音の設定変更を行うことができるように構成されている。
【００２９】
また、詳しくは後述するが、本発明においては、特に、携帯電話１９からこの携帯電話１９に対応するアクセスポイント１３に待ち受け画像や呼び出し音の設定データを送出するだけで、各インターホン親機１１の待ち受け画像や呼び出し音の設定を行うことができるようにも構成されている。
【００３０】
なお、携帯電話１９からアクセスポイント１３に送出する待ち受け画像や呼び出し音の設定データは、携帯電話１９の本体が友人やインターネットとの通信を介してとやりとりした設定データだけでなく、この携帯電話１９に着脱自在に構成されたＳＤカードなどのメモリ媒体２２からも、カードリーダを介してアクセスポイント１３に設定データを送出可能に構成されている。
【００３１】
インターホン制御装置１５は、インターホン親機１１およびロビー機１４との間で制御信号を送受信する制御信号送受信部１０１と、インターホン親機１１およびロビー機１４との間で通話信号を中継する通話信号送受信部１０２と、ＣＰＵで構成された制御部１０３と、映像／通話信号を制御する映像制御盤１７を備えており、このインターホン制御装置１５からも各戸の防犯警戒態勢を監視することができるように構成されている。
【００３２】
ここで、映像制御盤１７は、ロビー機１４から伝送されてくるビデオ信号を選択する映像入力部１０９と、ビデオ信号と通話信号とを重畳させて所定形式の映像／通話信号にエンコードする映像／通話結合部１１０と、その映像／通話信号をインターホン親機１１に送信すると共に、インターホン親機１１から通話信号を受信する映像／通話信号送受信部１０２と、ＣＰＵで構成された制御部１０３とを備える。
【００３３】
また、ロビー機１４は、来訪者を撮影するカメラ１２と、インターホン制御装置１５の間で制御信号を送受信する制御信号送受信部１０１と、カメラ１２が撮影しているビデオ信号をインターホン制御装置１５の映像制御盤１７に出力する映像出力部１０８と、ハンズフリーで通話を行わせる通話部１０４と、呼び出すべき住戸を指定する操作部１０７と、ＣＰＵで構成された制御部１０３とを備える。
【００３４】
アクセスポイント１３は、無線ＬＡＮに対応したアクセスポイント１３として構成されており、無線ＬＡＮ送受信モジュール１１１と、サーバー装置１８との間で制御信号やデータを送受信するデータ送受信部１１２と、ＣＰＵで構成された制御部１０３とを備えている。
【００３５】
サーバー装置１８は、アクセスポイント１３との間で制御信号やデータを送受信するデータ送受信部１１２と、インターホン制御装置１５との間で制御信号を送受信する制御信号送受信部１０１と、インターネット等のネットワーク２０との間で制御信号やデータを送受信するネットワーク通信部１１３と、ＣＰＵで構成された制御部１０３とを備える。
【００３６】
また、携帯電話１９は、アクセスポイント１３と無線通信する無線ＬＡＮ送受信モジュール１１１と、呼出音を鳴動させると共に、通話を行わせる通話部１０４と、操作部１０７と、表示部１０６とを備えており、電源電池１１４によって作動する。
【００３７】
次に、図１〜図３を参照して、本発明のインターホンシステムの動作を説明する。図３は、待ち受け画像や呼び出し音の設定変更を行う場合の実施例における信号伝送を示したフロー図である。
【００３８】
図１、図２を参照して、このインターホンシステムは、ロビー機１４で住戸を指定して呼出操作すると、インターホン制御装置１５が、指定された住戸のインターホン親機１１を呼び出す。呼び出されたインターホン親機１１は、チャイム等を鳴動させ、居住者に来客を伝える。居住者が応答操作をすると、インターホン制御装置１５によって、インターホン親機１１と、ロビー機１４との間に通話路が形成され、相互通話が可能になる。
【００３９】
また、インターホン制御装置１５は、住棟ロビーに設置されているカメラ１２が撮影している映像信号を、インターホン親機１１に伝送させ、そのモニタテレビ１０５に再生させる。このインターホン親機１１とロビー機１４との相互通話は、インターホン親機１１で所定の操作がなされるか、あるいは所定の時間経過によって終了する。
【００４０】
また、各アクセスポイント１３は、定期的に所定の確認電波を発信して、圏内に予め登録された携帯電話１９があるか否かを確認し、携帯電話１９がある場合には、それに割り付けられているアドレス情報を取得している。このアドレス情報は、サーバー装置１８のデータベースにテーブルとして更新保持される。
【００４１】
ここで、図３は、待ち受け画像や呼び出し音の設定変更を行う場合の実施例における信号伝送を示したフロー図であり、携帯電話１９、インターホン親機１１、アクセスポイント１３、サーバー装置１８、インターホン制御装置１５、インターホン親機１１、防犯センサ１６間の信号伝送を上下時系列的に示している。
【００４２】
この例では、インターホン制御装置１５側に、携帯電話１９のＩＤ情報と、住戸、そのインターホン親機１１とを対応させて登録したデータテーブル（データベース）を設け、ＩＤ情報から住戸を特定するように構成されている。
【００４３】
本発明においては、図３に示すように、携帯電話１９から送信された設定データは、アクセスポイント１３を通じて、サーバー装置１８で一時的に記憶され、サーバー装置１８は、携帯電話１９のＩＤ情報をインターホン制御装置１５に送出する。
【００４４】
インターホン制御装置１５は、受信したＩＤ情報に基づいて、対応した住戸を判別し、その住戸のインターホン親機１１に通知する。
【００４５】
また、インターホン親機１１は、この通知を受けると、所定の設定操作を行って、インターホン制御装置１５を通じてサーバー装置１８に記憶されている設定データをダウンロードして、待ち受け画像と呼び出し音の設定変更を行う。
【００４６】
このように、本発明によれば、複数の住戸を有する集合住宅において、インターホン制御装置１５が、受信したＩＤ情報に基づいて、対応した住戸を判別し、その住戸のインターホン親機１１に通知し、この通知を受けたインターホン親機１１が、所定の設定操作することで、アクセスポイント１３を通じて携帯電話１９から送信されて来た設定データを取り込んで、待ち受け画像と呼び出し音の設定変更を行うので、携帯電話１９と同じ待ち受け画像にするなど、好みのイメージに近く、親しみ易いインターホンシステムを構築することができる。また、携帯電話１９と同じ呼び出し音にするなど、呼び出し音が認識しやすいインターホンシステムを構築することができる。
【００４７】
また、インターホン親機１１が、メモリ媒体２１を着脱自在に構成されるとともに、このメモリ媒体に記憶した設定データを読み出し操作して、待ち受け画像と呼び出し音の設定変更を行うので、選択できる設定データの範囲が広くなる。
【００４８】
さらに、携帯電話１９が、メモリ媒体２２を着脱自在に構成されるとともに、このメモリ媒体から読み込んだ設定データを、アクセスポイント１３に送出して待ち受け画像や呼び出し音の設定変更を行うので、選択できる設定データの範囲が広くなる。
【００４９】
なお、このとき、アクセスポイント１３を通じて受信した設定データが、対応したインターホン親機１１に自動的にダウンロードされる構成にしてもよく、その場合には、ダウンロードを確認した住戸人がインターホン親機１１の設定操作をすれば、待ちうけ画面、呼び出し音が書き換えられる。
【００５０】
また、本発明のインターホンシステムは、必ずしもインターホン制御装置１５がＩＤ情報に基づいて、対応した住戸を判別するものに限定されない。
【００５１】
例えば、本発明のインターホンシステムの変形例として、サーバー装置１８が、受信したＩＤ情報に対応した住戸を特定してインターホン制御装置１５に通知するように構成することも可能である。図４は、サーバー装置が、受信したＩＤ情報に対応した住戸を特定するように構成されたインターホンシステムの変形例において、待ち受け画像や呼び出し音の設定変更を行う場合の信号伝送を示したフロー図である。
【００５２】
この例では、サーバー装置１８側に、携帯電話１９のＩＤ情報と、住戸、そのインターホン親機１１とを対応させて登録したデータテーブル（データベース）を設け、ＩＤ情報から住戸を特定するように構成されている。
【００５３】
この場合、図４に示すように、設定データがアクセスポイント１３を通じてサーバー装置１８で受信されると、サーバー装置１８で一旦保存され、インターホン制御装置１５を通じて、対応したインターホン親機１１に受信通知がなされ、住戸人がこれを確認して、インターホン親機１１の設定操作をすれば、インターホン親機１１には、設定データがサーバー装置１８からダウンロードされて、待ちうけ画面、呼び出し音が変更される。
【００５４】
このように、サーバー装置１８側で、受信した携帯電話１９のＩＤに対応した住戸、その住戸に対応したインターホン装置が判別できるので、判別した住戸、インターホン装置を特定する情報をインターホン制御装置１５に通知すればよい。そして、この場合、インターホン制御装置１５が、この通知を受けて、対応した住戸のインターホン親機１１に通知し、この通知を受けたインターホン親機１１が、所定の設定操作することで、アクセスポイント１３を通じて携帯電話１９から送信されて来た設定データを取り込んで、待ち受け画像と呼び出し音の設定変更を行う。このように構成することでも、携帯電話１９と同じ待ち受け画像にするなど、好みのイメージに近く、親しみ易いインターホンシステムを構築することができる。また、携帯電話１９と同じ呼び出し音にするなど、呼び出し音が認識しやすいインターホンシステムを構築することができる。
【００５５】
なお、この時、住戸人が受信通知を確認せずに、アクセスポイント１３を通じて受信した設定データが対応したインターホン親機１１に自動的にダウンロードされるようにしてもよく、その場合には、インターホン親機１１側で設定データがダウンロードされていることを確認して、設定操作をすれば、インターホン親機１１には、待ちうけ画面、呼び出し音が書き換えられる。
【００５６】
また、本発明のインターホンシステムの別の変形例として、インターホン親機１１側で実行される所定の設定操作を、次のような態様にすることも可能である。
図５は、住戸ごとに携帯電話とアクセスポイントとが紐付けられており、サーバー装置が、アクセスポイントのアドレス情報から住戸を特定するように構成されたインターホンシステムの別の変形例において待ち受け画像や呼び出し音の設定変更を行う場合の信号伝送を示したフロー図である。
【００５７】
この例では、携帯電話１９とアクセスポイント１３とが紐付けられており、サーバー装置１８側に、携帯電話１９のＩＤ情報と、アクセスポイント１３のアドレス情報、住戸、そのインターホン親機１１とを対応させて登録したデータテーブル（データベース）を設けている。そして、携帯電話のＩＤ情報の代わりにアクセスポイント１３のアドレス情報から住戸を特定するように構成されている。
【００５８】
この場合、図５に示すように、アクセスポイント１３は、該住戸に対応する携帯電話１９から設定データを受信すると、その設定データをサーバー装置１８に送出し、サーバー装置１８が、設定データを受信すると、この設定データを送出したアクセスポイント１３に対応する住戸をデータテーブルを参照して特定して、インターホン制御装置１５に通知する。
【００５９】
そして、通知を受けたインターホン制御装置１５が、設定データを、特定された住戸のインターホン親機１１に送出し、インターホン親機１１が、設定データを受けると、所定の設定操作を行って、設定データをダウンロードし、その設定データに基づいて待ち受け画像と呼び出し音の設定変更を行う。
【００６０】
なお、本発明のインターホンシステムは、必ずしも集合住宅に限定されない。例えば１戸建ての住宅の場合などは、インターホン親機１１、携帯電話１９、アクセスポイント１３がそれぞれひとつだけの場合があるが、このような場合は、インターホン制御装置１５や、サーバー装置１８は省略可能である。
【００６１】
このようなインターホン親機１１、携帯電話１９、アクセスポイント１３がそれぞれひとつだけの場合は、アクセスポイント１３は、携帯電話１９から設定データを受信すると、その画像データをインターホン親機１１に送出し、インターホン親機１１は、設定データを受けると、この設定データに基づいて待ち受け画像と呼び出し音との少なくともいずれか一方の設定変更を行うようにしてもよい。
【００６２】
このような構成でも、携帯電話１９からアクセスポイント１３に待ち受け画像や呼び出し音の設定データを送出することにより、各インターホン親機１１の待ち受け画像や呼び出し音の設定を行うことができる。
【符号の説明】
【００６３】
１１    インターホン親機
１３    アクセスポイント
１５    インターホン制御装置
１８    サーバー装置
１９    携帯電話
２１    メモリ媒体
２２    メモリ媒体
【図１】
2010258749.tif 000003
【図２】
2010258749.tif 000004
【図３】
2010258749.tif 000005
【図４】
2010258749.tif 000006
【図５】
2010258749.tif 000007